(57)【要約】【課題】ホールダウン金物を用いた壁体の固定構造において、設計及び施工時にホールダウンアンカーボルトの配設位置を簡易に決定すること。【解決手段】ホールダウンアンカーボルト１７は、基礎１６におけるモジュールグリッドＭＧの交点上から突出しており、ホールダウン金物２２の水平部２２ａに形成された孔にホールダウンアンカーボルト１７を挿通させた状態でホールダウン金物２２をホールダウンアンカーボルト１７に固定するとともに、壁パネル１０のスタッド１３をホールダウン金物２２の起立部２２ｂに固定する。【選択図】図２
2007332551.tif 000002
【特許請求の範囲】
【請求項１】
複数のスタッドと前記スタッドの上端部を被覆する上枠ランナと前記スタッドの下端部を被覆する下枠ランナとを含んで構成された壁体と、
孔が形成された水平部と当該水平部から起立する起立部とを有するホールダウン金物と、
モジュールグリッド上に設けられた基礎から突出しているホールダウンアンカーボルトとを備え、
複数の前記壁体の連結部を、前記ホールダウン金物を用いて前記基礎に対して固定する建物における壁体の固定構造であって、
前記ホールダウンアンカーボルトは、前記基礎におけるモジュールグリッド交点上から突出しており、
前記孔に前記ホールダウンアンカーボルトを挿通させた状態で前記ホールダウン金物を前記ホールダウンアンカーボルトに固定するとともに、前記壁体の連結部におけるスタッドを前記起立部に固定したことを特徴とする建物における壁体の固定構造。
【請求項２】
前記スタッドと前記起立部とを、前記起立部側からビス等の締結手段で固定したことを特徴とする請求項１に記載の建物における壁体の固定構造。
【請求項３】
前記スタッドは、前記孔から挿通配置される前記ホールダウンアンカーボルト側における前記起立部に当接していることを特徴とする請求項２に記載の建物における壁体の固定構造。
【請求項４】
直線状に延びる基礎上に配置される複数の前記壁体の連結部に適用され、
前記起立部を前記水平部の両端部側から対向させて設けることによりホールダウン金物を略Ｕ字状に形成し、
前記対向して起立する起立部のそれぞれに、前記直線上に延びる基礎上に配置された複数の壁体の連結部におけるスタッドをそれぞれ固定したことを特徴とする請求項１から請求項３のいずれかに記載の建物における壁体の固定構造。
【請求項５】
前記ホールダウン金物を、前記水平部と起立部とで略Ｌ字状に形成したことを特徴とする請求項１から請求項３のいずれかに記載の建物における壁体の固定構造。
【請求項６】
請求項１から請求項５のいずれかに記載の壁体の固定構造を有する建物において、
前記壁体の上方に配置され、複数のスタッドと前記スタッドの上端部を被覆する上枠ランナと前記スタッドの下端部を被覆する下枠ランナとを含んで構成された上階側壁体と、
前記壁体及び前記上階側壁体の間に配置される床根太とを備え、
複数の前記上階側壁体の連結部を、前記ホールダウン金物を用いて前記床根太に固定する建物における壁体の固定構造であって、
前記床根太は、前記壁体が固定されている前記ホールダウンアンカーボルトと同じモジュールスタッド交点上において上下方向に貫通した孔を有し、
前記床根太の上部及び下部に、前記床根太に形成された孔を貫通するボルトにより固定された前記ホールダウン金物をそれぞれ備え、
前記床根太の下部に設けられたホールダウン金物の起立部に前記壁体の連結部におけるスタッドを固定するとともに、前記床根太の上部に設けられたホールダウン金物の起立部に前記上階側壁体の連結部におけるスタッドを固定したことを特徴とする建物における壁体の固定構造。
【発明の詳細な説明】
【技術分野】
【０００１】
本発明は、ホールダウン金物を用いた壁体の固定構造に関するものである。
【背景技術】
【０００２】
建物の骨格となる構造体に２×４規格を採用し、軽量鉄骨製フレームを用いることで強度と耐久性を高めた枠組壁工法のスチールハウスが広く知られている。スチールハウスでは、規格化、標準化して工場で生産された壁パネルを基礎上に固定して施工する方法が採用されている。
【０００３】
従来、複数の壁パネルの連結部分における壁パネルの基礎に対する固定構造として、非特許文献１に記載のものが知られている。非特許文献１に記載の固定構造を図１０及び図１１を用いて説明する。図１０は出隅部における壁パネル連結部分をホールダウン金物を用いて基礎に固定する態様を示す平面図である。また、図１１は、Ｔ字部における壁パネル連結部分をホールダウン金物を用いて基礎に固定する態様を示す平面図である。
【０００４】
壁パネル７１０は、複数本のリップ溝形鋼製のスタッド１３、溝形鋼製の上枠ランナ（図示せず）及び下枠ランナ１５で形成された枠体１１の一面側に構造用合板１２を固定することにより構成されている。また、基礎１６の天端からは、ホールダウンアンカーボルト１７が突出している。そして、出隅部においては、図１０に示すように、連結される両壁パネル７１０の交差部近傍における両壁パネル７１０の下方位置のそれぞれに、ホールダウンアンカーボルト１７が配設されている。そして、両壁パネル７１０の連結部側スタッド１３のそれぞれが、ホールダウン金物７２２を介してホールダウンアンカーボルト１７に固定されている。これにより、出隅部における両壁パネル７１０が、ホールダウン金物７２２及びホールダウンアンカーボルト１７を介して基礎１６に固定されることとなる。
【０００５】
また、Ｔ字部においては、図１１に示すように、屋内外を仕切る二枚の壁パネル８１０は、直線状に延びる基礎上に配置されてそれらの端部同士が連結されている。それとともに、その連結部において、屋内外を仕切る壁パネル８１０に対して直交するように、屋内空間を仕切る壁パネル９１０が連結されている。そして、ホールダウンアンカーボルト１７は、三枚の壁パネル８１０，９１０の交差部近傍における屋内空間を仕切る壁パネル９１０の下方位置に配設されている。そして、屋内空間を仕切る壁パネル９１０の連結部側スタッド１３は、ホールダウン金物７２２を介してホールダウンアンカーボルト１７に固定されている。また、屋内外を仕切る壁パネル８１０の連結部側のスタッド１３も同じホールダウン金物７２２を介してホールダウンアンカーボルト１７に固定されている。これにより、Ｔ字部の連結部に配置された壁パネル８１０，９１０のそれぞれが、ホールダウン金物７２２及びホールダウンアンカーボルト１７を介して基礎１６に固定されることとなる。
【０００６】
上述のように、従来における壁パネルの基礎１６に対する固定構造では、ホールダウンアンカーボルト１７は出隅部、Ｔ字部といった壁パネルの連結形態に応じて異なる位置に配設する必要があった。そのため、設計及び施工時にホールダウンアンカーボルト１７の配設位置を簡易に決定することが困難となっていた。
【非特許文献１】「スチールハウス施工マニュアル」、スチールハウス協会、平成１７年５月、ｐ．１３１
【発明の開示】
【発明が解決しようとする課題】
【０００７】
本発明は、上記問題に鑑みなされたものであり、ホールダウン金物を用いた壁体の固定構造において、設計及び施工時にホールダウンアンカーボルトの配設位置を簡易に決定することを可能とすることを主たる目的とするものである。
【課題を解決するための手段】
【０００８】
以下、上記課題を解決するのに有効な手段等につき、必要に応じて作用、効果等を示しつつ説明する。
【０００９】
手段１．本発明は、複数のスタッドと前記スタッドの上端部を被覆する上枠ランナと前記スタッドの下端部を被覆する下枠ランナとを含んで構成された壁体と、孔が形成された水平部と当該水平部から起立する起立部とを有するホールダウン金物と、モジュールグリッド上に設けられた基礎から突出しているホールダウンアンカーボルトとを備え、複数の前記壁体の連結部を、前記ホールダウン金物を用いて前記基礎に対して固定する建物における壁体の固定構造に適用されるものである。そして、前記ホールダウンアンカーボルトは、前記基礎におけるモジュールグリッド交点上から突出しており、前記孔に前記ホールダウンアンカーボルトを挿通させた状態で前記ホールダウン金物を前記ホールダウンアンカーボルトに固定するとともに、前記スタッドを前記起立部に固定したことを特徴としている。
【００１０】
これによると、ホールダウン金物を介して壁体が固定されるホールダウンアンカーボルトは、建物の設計及び施工の際の基準線をなすモジュールグリッドの交点上に配設されている。これにより、建物の設計及び施工の際に、ホールダウンアンカーボルトの配設位置を決定することが容易となる。
【００１１】
なお、連結される複数の壁体におけるスタッドのそれぞれをホールダウン金物に固定することにより、連結部を構成する複数の壁体を基礎に対して固定することが可能である。また、一の壁体におけるスタッドをホールダウン金物に固定するとともに、他の壁体におけるスタッドを前記一の壁体のスタッドに固定することにより、連結部を構成する複数の壁体を基礎に対して固定することも可能である。
【００１２】
手段２．前記スタッドと前記起立部とを、前記起立部側からビス等の締結手段で固定することが望ましい。起立部側からビス等の締結手段で固定するので、固定作業の際に起立部側における固定位置の確認が容易となる。
【００１３】
手段３．前記スタッドは、前記孔から挿通配置される前記ホールダウンアンカーボルト側における前記起立部に当接していることが望ましい。起立部のホールダウンアンカーボルトが挿通配置されている側にスタッドを当接させることで、起立部側からビス等で固定する場合には、ホールダウンアンカーボルトが配置されていない側からビス等の固定作業をすることとなる。その結果、ホールダウンアンカーボルトのために、ビス等による固定作業を行いにくくなることが抑止される。
【００１４】
手段４．直線状に延びる基礎上に配置される複数の前記壁体の連結部に適用され、前記起立部を前記水平部の両端部側から対向させて設けることによりホールダウン金物を略Ｕ字状に形成し、前記対向して起立する起立部のそれぞれに、前記直線上に延びる基礎上に配置された複数の壁体の連結部におけるスタッドをそれぞれ固定したすることが可能である。これにより、複数の壁体の連結部を、共通のホールダウン金物でホールダウンアンカーボルトに固定することが可能となり、部品点数の増大を抑制することができる。
【００１５】
手段５．前記ホールダウン金物を、前記水平部と起立部とで略Ｌ字状に形成することも可能である。これにより、ホールダウン金物の形状を簡易なものとすることができ、ホールダウン金物の製造が容易となる。
【００１６】
手段６．前記壁体の上方に配置され、複数のスタッドと前記スタッドの上端部を被覆する上枠ランナと前記スタッドの下端部を被覆する下枠ランナとを含んで構成された上階側壁体と、前記壁体及び上階側壁体の間に配置される床根太とを備え、複数の前記上階側壁体の連結部を、前記ホールダウン金物を用いて前記床根太に固定する建物における壁体の固定構造に適用されるものである。そして、前記床根太は、前記壁体が固定されている前記ホールダウンアンカーボルトと同じモジュールスタッド交点上において上下方向に貫通した孔を有し、前記床根太の上部及び下部に、前記床根太に形成された孔を貫通するボルトにより固定された前記ホールダウン金物をそれぞれ備え、前記床根太の下部に設けられたホールダウン金物の起立部に前記壁体の連結部におけるスタッドを固定するとともに、前記床根太の上部に設けられたホールダウン金物の起立部に前記上階側壁体の連結部におけるスタッドを固定することも可能である。
【００１７】
これによると、壁体及びその上方に配置された上階側壁体は、それらの間に配置されている床根太に固定されたホールダウン金物にそれぞれ固定されている。そして、それぞれのホールダウン金物は、床根太に形成された孔を貫通するボルトにより固定されている。すなわち、両壁体は、ボルトを介して接続されている。そして、このボルトが貫通している孔は、壁体が固定されているホールダウンアンカーボルトと同じモジュールスタッドの交点上に形成されている。これにより、壁体と上階側壁体とを接続するボルトの位置を、設計及び施工の際の基準線をなすモジュールスタッドの交点上とすることができ、設計及び施工の際にボルト位置を決定することが容易となる。
【発明を実施するための最良の形態】
【００１８】
［第１実施形態］
以下、本発明を具体化した第１実施形態を図面に基づいて説明する。図１は本実施形態で使用する壁パネルの斜視図である。図２（ａ）は壁パネルの連結部分をホールダウン金物を用いて基礎に固定する態様を示す断面図、図２（ｂ）は図２（ａ）におけるＡ−Ａ断面図、図２（ｃ）は図２（ａ）におけるＢ−Ｂ断面図である。図３は本実施形態で用いられるホールダウン金物の斜視図である。
【００１９】
本実施形態は、直線状に延びる基礎上に配置されてそれらの端部同士が連結される２枚の壁パネル１０の基礎１６に対する固定構造に適用されるものである。ここで、本実施形態の壁パネル１０は、スチールハウスの壁体に用いられるものである。
【００２０】
図１に示すように、壁パネル１０は、枠体１１の一面に構造用合板１２がビス等で固定されて形成されている。枠体１１は複数本のリップ溝形鋼製のスタッド１３、溝形鋼製の上枠ランナ１４及び下枠ランナ１５から形成されている。各スタッド１３は、上下方向に延びた状態で平行に配置されている。上枠ランナ１４はスタッド１３の上端を被覆するように配置されている。また、下枠ランナ１５もスタッド１３の下端を被覆するように配置されている。
【００２１】
なお、両端に配置されたスタッド１３については、ウェブ面部１３ａを枠体１１の外方に向けて配置されている。また、両端側に配置されたスタッド１３は、その上端および下端の約半分のみが上枠ランナ１４及び下枠ランナ１５の端部で被覆されている。その結果、上枠ランナ１４及び下枠ランナ１５の端部からは、スタッド１３の上下端部のウェブ面部１３ａ側の約半分が被覆されずに露出した状態となっている。この状態で、スタッド１３と上枠ランナ１４及び下枠ランナ１５とが固定されることにより、枠体１１が形成されている。
【００２２】
構造用合板１２の高さ方向の長さはスタッド１３の長さと等しくなるように設定されており、構造用合板１２はその上下端をスタッド１３の上下端に合わせて固定されている。また、構造用合板１２の幅方向の長さは枠体１１の幅方向長さよりも長く設定されており、構造用合板１２は枠体１１の端部に配置されたスタッド１３におけるウェブ面部１３ａの内面から長さＬだけ突出させた状態で枠体１１に固定されている。
【００２３】
ここで、一般的に建物の設計及び施工においては、建物の基準寸法単位である建築モジュールに基づいて行われている。建築モジュールとしては、メータモジュール又は尺モジュールが一般的に採用されている。いずれの建築モジュールを採用する場合においても、建物の構成体は、モジュールの１／Ｎ（Ｎは自然数）に設定された幅のモジュールグリッドＭＧを基準に設計及び施工がされている。
【００２４】
本実施形態では、建物の基準寸法単位である建築モジュールを１ｍ（＝１０００ｍｍ）としたメータモジュール設計とされている。特に、本実施形態では、設計基準線をなすモジュールグリッドＭＧを２５０ｍｍ（１０００／４ｍｍ）として設計されている。壁パネル１０も及び基礎１６もメータモジュールに適合した寸法となっている。そして、基礎１６については、基礎天端１６ａの中心線がモジュールグリッドＭＧと一致するようにその設計及び施工がなされている。また、壁パネル１０については、その横方向の長さが２５０ｍｍの自然数倍となるようにされるとともに、壁パネル１０の厚さ方向の中心線がモジュールグリッドＭＧ上に配置されるように、壁パネル１０の大きさ及び配設位置の設計がなされている。
【００２５】
図２に示すように、基礎１６にはホールダウンアンカーボルト１７が配設されている。そして、ホールダウンアンカーボルト１７の先端は基礎天端１６ａから突出されている。ホールダウンアンカーボルト１７はモジュールグリッドＭＧの交点上に配置されるように、その配設位置の設計がなされている。また、基礎１６上には、基礎パッキン１８、木土台１９及び床下地材２０が載置されている。基礎パッキン１８は、基礎１６と木土台１９との間に所定の間隔で複数配置されている。そして、基礎１６と木土台１９との間に隙間を形成し、床下空間２１への通気経路を形成している。ホールダウンアンカーボルト１７は、基礎１６上方に配置された木土台１９及び床下地材２０を貫通しており、その先端部が床下地材２０から上方に突出している。
【００２６】
床下地材２０の上方に突出したホールダウンアンカーボルト１７には、ホールダウン金物２２が固定されている。ホールダウン金物２２は、ホールダウンアンカーボルト１７と壁パネル１０のスタッド１３とを固定するための固定金具である。図３に示すように、ホールダウン金物２２は、長方形状の鋼板を略Ｕ字状に折り曲げることにより形成されている。そして、このホールダウン金物２２は、長方形の底面部２２ａと、底面部２２ａの対向する二辺からほぼ垂直に起立する二つの起立面部２２ｂとから構成されている。ホールダウン金物２２の底面部２２ａの中央部には、ホールダウンアンカーボルト１７を通すことが可能な底孔２２ｃが形成されている。また、ホールダウン金物２２の両起立面部２２ｂにはビス２３を通すことが可能な側孔２２ｄが左右方向及び上下方向に間隔をおいて複数形成されている。
【００２７】
なお、ホールダウン金物２２の底孔２２ｃの中心と起立面部２２ｂとの距離は、構造用合板１２の枠体１１からの突出長さであるＬと等しく設定されている。ホールダウン金物２２は、ホールダウンアンカーボルト１７の先端部を底孔２２ｃに通した状態で、ナット２４により締結固定されている。これにより、ホールダウン金物２２は、ホールダウンアンカーボルト１７を介して基礎１６に固定されたこととなる。
【００２８】
壁パネル１０は、基礎１６上方の床下地材２０上に配置されている。そして、壁パネル１０のスタッド１３は、その下端部のウェブ面部１３ａをホールダウン金物２２の起立面部２２ｂに当接させてビス２３で固定されている。これにより、基礎１６に固定されたホールダウン金物２２にスタッド１３が固定され、壁パネル１０が基礎１６に対して固定されたこととなり、この壁パネル１０は耐力壁を構成することとなる。
【００２９】
ホールダウン金物２２及び壁パネル１０の基礎１６に対する固定は、以下の手順により行われる。まず、ホールダウンアンカーボルト１７の端部にホールダウン金物２２の底孔２２ｃを通した状態で、ホールダウンアンカーボルト１７とホールダウン金物２２とをナット２４により締結固定する。次に、連結部を構成する両壁パネル１０を、それらの連結部側スタッド１３におけるウェブ面部１３ａの内面が略Ｕ字状のホールダウン金物２２における両起立面部２２ｂ挟み込まれるように配置する。この状態では、スタッド１３におけるウェブ面部１３ａの内面はホールダウン金物２２の起立面部２２ｂの内側面２２ｅと当接した状態となっている。そして、この状態で、ホールダウン金物２２とスタッド１３とをビス２３で固定する。なお、ビス２３による固定は、起立面部２２ｂの側孔２２ｄ位置において、略Ｕ字状のホールダウン金物２２の外側から行われる。基礎１６に対して壁パネル１０が固定された後には、壁パネル１０の屋内側の面に、内装下地材としての石膏ボード２５が固定される。
【００３０】
以上詳述した本実施の形態によれば、以下の優れた効果が得られる。
【００３１】
本実施形態では、壁パネル１０を固定するためのホールダウンアンカーボルト１７はモジュールグリッドＭＧの交点上に配設されている。そして、このホールダウンアンカーボルト１７にホールダウン金物２２を介して壁パネル１０が固定されている。このように、ホールダウンアンカーボルト１７の配設位置が、設計及び施工の際の基準線をなすモジュールグリッドＭＧの交点上とされているので、設計及び施工の際にホールダウンアンカーボルト１７の配設位置を決定することが容易となる。
【００３２】
本実施形態では、二つの起立面部２２ｂを有する略Ｕ字状のホールダウン金物２２が用いられている。そして、この略Ｕ字状のホールダウン金物２２により、連結部を構成する２枚の壁パネル１０が基礎に対して固定されている。このため、連結部を構成する２枚の壁パネル１０のそれぞれに対して別々のホールダウン金物２２を用意することが不要となり、部品点数の増大を抑制することが可能となる。
【００３３】
本実施形態では、連結部側のスタッド１３は、そのウェブ面部１３ａの内面を略Ｕ字状のホールダウン金物２２における起立面部２２ｂの内側面２２ｅと当接させて配置されている。そして、スタッド１３とホールダウン金物２２とは、起立面部２２ｂ側からビス２３で固定されている。起立面部２２ｂ側からビス２３で固定されるので、起立面部２２ｂに形成された側孔２２ｄの位置を確認することが容易にでき、ビス２３による固定作業が容易となる。また、スタッド１３とホールダウン金物との固定は、ホールダウン金物２２の外側（すなわち、ホールダウンアンカーボルト１７が挿通された底孔２３ａのない側）からビス２３で固定されている。これにより、底孔２２ａに挿通されているホールダウンアンカーボルト１７のために、ビス２３による固定作業を行いにくくなることが抑止される。
【００３４】
［第２実施形態］
次に本発明を具体化した第２の実施形態について、図４を用いて説明する。図４はＴ字部における壁パネル連結部分をホールダウン金物を用いて基礎に固定する態様を示す平面図である。なお、第１実施形態と同一の構成については、第１実施形態と同一の符号を付し、説明を省略する。
【００３５】
Ｔ字部における壁パネル１０，１１０の連結部においては、図４に示すように、屋内外空間を仕切る壁パネル１０の端部同士が連結されるとともに、その連結部において、屋内外を仕切る壁パネル１０に対して直交するように、屋内空間を仕切る壁パネル１１０が連結されている。Ｔ字部を形成する壁パネル１０，１１０のうち、屋内外空間を仕切る２枚の壁パネル１０の基礎１６への固定構造は第１実施形態と同様である。すなわち、屋内外空間を仕切る２枚の壁パネル１０は、略Ｕ字状のホールダウン金物２２を介して、モジュールグリッドＭＧの交点上に配設されているホールダウンアンカーボルト１７に固定されている。屋内外を仕切る２枚の壁パネル１０の屋内側の面には、モジュールグリッドＭＧを中心としたスタッド１３の幅方向外寸法Ｗの部分を除いて、石膏ボード２５が固定されている。
【００３６】
屋内空間を仕切る壁パネル１１０は、枠体１１のみが形成された状態で、屋内外空間を仕切る壁パネル１０同士の連結部において、屋内外を仕切る壁パネル１０に対して直交するように配置される。そして、屋内空間を仕切る壁パネル１１０におけるスタッド１３のウェブ面部１３ａが、屋内外空間を仕切る壁パネル１０におけるスタッド１３の溝側壁部１３ｂにビス２３で固定される。これにより、屋内空間を仕切る壁パネル１１０のスタッド１３は、基礎１６に固定されている壁パネル１０のスタッド１３に固定されたこととなる。この結果、屋内空間を仕切る壁パネル１１０のスタッド１３も基礎１６に対して固定されたこととなり、この壁パネル１１０も耐力壁を構成することとなる。この後、屋内空間を仕切る壁パネル１１０の枠体１１の両面に石膏ボード２５が固定される。
【００３７】
本実施形態においても、ホールダウンアンカーボルト１７は、モジュールグリッドＭＧの交点上に配設されている。そして、このホールダウンアンカーボルト１７を介してＴ字部における各壁パネル１０，１１０が基礎１６に対して固定されている。これにより、Ｔ字部におけるホールダウンアンカーボルト１７の配設位置についての設計及び施工が容易となる。
【００３８】
［第３実施形態］
次に本発明を具体化した第３の実施形態について、図５を用いて説明する。図５は出隅部における壁パネル連結部分をホールダウン金物を用いて基礎に固定する態様を示す平面図である。なお、上記実施形態と同一の構成については同一の符号を付し、説明を省略する。
【００３９】
本実施形態において、出隅部を形成する２枚のうちの一方の壁パネル２１０は、ホールダウンアンカーボルト１７に固定されているホールダウン金物２２に直接固定されている。そして、他方の壁パネル３１０は、ホールダウン金物２２に直接固定されている一方の壁パネル２１０のスタッド１３に固定されることにより、ホールダウンアンカーボルト１７に対して固定されている。
【００４０】
詳述すると、ホールダウン金物２２に直接固定される壁パネル２１０の端部には、通常のスタッド１３よりも溝深さの浅い浅溝スタッド２１３が使用されている。そして、浅溝スタッド２１３及びそれに隣接する通常のスタッド１３とは、ウェブ面部１３ａ，２１３ａ同士を対向させるように配置されている。両ウェブ面部１３ａ，２１３ａの内面部間の距離は、ホールダウン金物２２における両起立面部２２ｂの内側面２２ｅ間の距離と等しく２Ｌに設定されている。また、両ウェブ面部１３ａ，２１３ａ間の中央から浅溝スタッドにおけるリップ部２１３ｃ外面までの距離は、スタッド１３，２１３の幅方向の外寸法Ｗの半分に設定されている。
【００４１】
ホールダウン金物２２に直接固定される壁パネル２１０の枠体１１に用いられている下枠ランナ１５所定の位置には、開口部２６が形成されている。そして、上述した浅溝スタッド２１３と通常のスタッド１３の対向した両ウェブ面部１３ａ，２１３ａを挟み込むように、開口部２６からＵ字状のホールダウン金物２２を配置できるようになっている。また、この枠体１１の一面側には、構造用合板１２が固定されている。構造用合板１２の上下端は枠体１１の上下端に位置合わせがされており、出隅部の連結部側の端部は浅溝スタッド２１３のリップ部２１３ｃ側に位置合わせがされている。
【００４２】
出隅部を形成する他方の壁パネル３１０では、その連結部側に配置されるスタッド１３はウェブ面部１３ａを枠体１１の外方に向けて配置されている。また、枠体１１の一面側には、上下端をスタッド１３の上下端に位置合わせするとともに、出隅部の連結部側の端部をスタッド１３のウェブ面部１３ａからスタッド１３の幅方向外寸法Ｗだけ突出させて構造用合板１２が固定されている。
【００４３】
出隅部においても、ホールダウンアンカーボルト１７は、モジュールグリッドＭＧの交点上に配設されている。そして、このホールダウンアンカーボルト１７に略Ｕ字状のホールダウン金物２２の底孔２２ｃが通された状態で、ホールダウン金物２２がナット２４で締結固定されている。
【００４４】
上述した浅溝スタッド２１３を有する壁パネル２１０は、下枠ランナ１５に形成された開口部２６からＵ字状のホールダウン金物２２が挿入された状態で、床下地材２０上に配置される。この際、浅溝スタッド２１３及び通常のスタッド１３のウェブ面部１３ａ，２１３ａの内面がホールダウン金物２２における両起立面部２２ｂの内側面２２ｅで挟み込まれた状態とされている。そして、両スタッド１３，２１３は、略Ｕ字状のホールダウン金物２２における起立面部２２ｂの外側からビス２３でホールダウン金物２２に直接固定されている。これにより、両スタッド１３，２１３はホールダウン金物２２を介して基礎１６に固定されたこととなり、この壁パネル２１０が耐力壁を構成することとなる。
【００４５】
他方の壁パネル３１０におけるスタッド１３のウェブ面部１３ａは、壁パネル２１０の浅溝スタッド２１３及び通常のスタッド１３における溝側壁部１３ｂ，２１３ｂに、ビス２３で固定されている。これにより、他方の壁パネル３１０の連結部に配置されたスタッド１３は、基礎１６に固定されている壁パネル２１０の両スタッド１３，２１３に固定されたこととなる。この結果、この壁パネル３１０のスタッド１３も、基礎１６に対して固定されたこととなり、この壁パネル３１０も耐力壁を構成することとなる。この後、出隅部を構成する両壁パネル２１０，３１０における枠体１１の屋内側に石膏ボード２５が固定される。
【００４６】
本実施形態においても、ホールダウンアンカーボルト１７は、モジュールグリッドＭＧの交点上に配設されている。そして、このホールダウンアンカーボルト１７を介して出隅部における各壁パネル２１０，３１０が基礎１６に対して固定されている。これにより、出隅部におけるホールダウンアンカーボルト１７の配設位置についての設計及び施工が容易となる。
【００４７】
［第４実施形態］
次に本発明を具体化した第４の実施形態について、図６を用いて説明する。図６（ａ）は本実施形態で用いられるホールダウン金物の斜視図であり、図６（ｂ）は、本実施形態で用いられるホールダウン金物を２つ組み合わせた状態の斜視図である。なお、上記各実施形態と同一の構成については同一の符号を付し、説明を省略する。
【００４８】
図６（ａ）に示すように、本実施形態におけるホールダウン金物１２２は、長方形状の鋼板を略Ｌ字状に折り曲げることにより形成されている。そして、このホールダウン金物１２２は、長方形の底面部１２２ａと、底面部１２２ａの一辺からほぼ垂直に起立する起立面部１２２ｂとから構成されている。ホールダウン金物１２２の底面部１２２ａの中心部には、ホールダウンアンカーボルト１７を通すことが可能な底孔１２２ｃが形成されており、起立面部１２２ｂにはビス２３を通すことが可能な側孔１２２ｄが左右方向及び上下方向に間隔をおいて複数形成されている。また、ホールダウン金物１２２の底孔１２２ｃの中心と起立面部１２２ｂとの距離は、第１実施形態で用いられた略Ｕ字状のホールダウン金物２２と同様、Ｌに設定されている。
【００４９】
図６（ｂ）に示すように、二つの略Ｌ字状のホールダウン金物１２２を、それらの内側（底孔側）面１２２ｅ同士が対向するようにして、それらの底面部１２２ａ同士を重ね合わせると、略Ｕ字状の状態とすることができる。これにより、上記第１から第３実施形態と同様に、モジュールグリッドＭＧの交点上に配設されたホールダウンアンカーボルト１７に対して、壁パネル１０等の連結部分のスタッドを固定することが可能となる。
【００５０】
本実施形態の略Ｌ字型のホールダウン金物１２２によると、個々のホールダウン金物の形状を簡易なものとすることができ、製造が容易になる。
【００５１】
［第５実施形態］
次に本発明を具体化した第５の実施形態について、図７を用いて説明する。図７はＴ字部における壁パネル連結部分をホールダウン金物を用いて基礎に固定する態様を示す平面図である。なお、上記各実施形態と同一の構成については同一の符号を付し、説明を省略する。
【００５２】
Ｔ字部を構成する各壁パネル１０，１１０の構成は、第２実施形態と同様である。また、ホールダウンアンカーボルト１７はモジュールグリッドＭＧの交点上に配設されており、屋内外空間を仕切る壁パネル１０のホールダウンアンカーボルト１７に対する固定構造も第２実施形態と同様である。図７に示すように、本実施形態では、屋内空間を仕切る壁パネル１１０のスタッド１３についても、ホールダウンアンカーボルト１７に固定されているホールダウン金物２２２に直接固定されている。このホールダウン金物２２２は、第４実施形態のホールダウン金物１２２と同様略Ｌ字状のものが用いられている。ただし、底面部２２２ａに形成された底孔の中心と起立面部２２２ｂとの距離は、スタッド１３の幅方向外寸法Ｗの１／２に設定されている。
【００５３】
この略Ｌ字状のホールダウン金物２２２は、モジュールグリッドＭＧの交点上に配設されているホールダウンアンカーボルト１７にその底孔が通された状態で、ナット２４により締結固定されている。そして、起立面部２２２ｂにおける内側面に、屋内空間を仕切る壁パネル１１０におけるスタッド１３のウェブ面部１３ａ内面を当接させた状態で配置されている。この状態において、スタッド１３は、起立面部２２２ｂの外側から略Ｌ字状のホールダウン金物２２２にビス２３で固定されている。
【００５４】
本実施形態においても、Ｔ字部における各壁パネル１０，１１０を基礎１６に対して固定するためのホールダウンアンカーボルト１７は、モジュールグリッドＭＧの交点上に配設されている。これにより、Ｔ字部におけるホールダウンアンカーボルト１７の配設位置についての設計及び施工が容易となる。また、略Ｌ字状のホールダウン金物２２２を組み合わせて用いることにより、Ｔ字部において直交して配置されている壁パネル１１０についても、ホールダウンアンカーボルト１７に固定されているホールダウン金物２２２に直接固定することが可能となる。
【００５５】
［第６実施形態］
次に本発明を具体化した第６の実施形態について、図８を用いて説明する。図８は出隅部における壁パネル連結部分をホールダウン金物を用いて基礎に固定する態様を示す平面図である。なお、上記各実施形態と同一の構成については同一の符号を付し、説明を省略する。
【００５６】
出隅部を構成する両壁パネル３１０において、連結部側に配置されたスタッド１３は、そのウェブ面部１３ａを枠体１１の外方に向けて配置されている。また、両壁パネル３１０の枠体１１の一面側には、上下端を枠体１１の上下端に位置合わせするとともに、出隅部の端部をスタッド１３のウェブ面部１３ａからスタッド１３の幅方向外寸法Ｗだけ突出させて構造用合板１２が固定されている。
【００５７】
本実施形態においても、ホールダウン金物２２２は略Ｌ字状のものが用いられている。その寸法設定は、第５実施形態と同様、底面部２２２ａに形成された底孔２２２ｃの中心と起立面部２２２ｂとの距離がスタッド１３の幅方向外寸法Ｗの１／２になるように設定されている。
【００５８】
本実施形態では、この略Ｌ字状のホールダウン金物２２２を２つ組み合わせて用いられている。２つの略Ｌ字状のホールダウン金物２２２は、出隅部におけるモジュールグリッドＭＧの交点上に配設されているホールダウンアンカーボルト１７に底孔２２２ｃが通された状態で、ナット２４により締結固定されている。この際、両壁パネル３１０の連結部側スタッド１３に両ホールダウン金物２２２の起立面部２２２ｂにおける内側面２２２ｅのそれぞれが当接するように、両ホールダウン金物２２２の起立面部２２２ｂを互いに直交させて配置されている。
【００５９】
両壁パネル３１０の連結部側スタッド１３は、それらのウェブ面部１３ａの内面を起立面部２２２ｂの内側面２２２ｅに当接させた状態で配置されている。そして、この状態において、スタッド１３及びホールダウン金物２２２とは、起立面部２２２ｂの外側からビス２３で固定されている。
【００６０】
本実施形態においても、出隅部における各壁パネル３１０を基礎１６に対して固定するためのホールダウンアンカーボルト１７は、モジュールグリッドＭＧの交点上に配設されている。これにより、出隅部におけるホールダウンアンカーボルト１７の配設位置についての設計及び施工が容易となる。また、略Ｌ字状のホールダウン金物２２２を用いることにより、出隅部において直交して配置されている壁パネル３１０のそれぞれを直接ホールダウン金物２２２に固定することも可能となる。
【００６１】
［第７実施形態］
次に本発明を具体化した第７の実施形態について、図９を用いて説明する。図９（ａ）は上下階の壁パネルをホールダウン金物を介して連結する態様を示す断面図であり、図９（ｂ）は図９（ａ）のＡ−Ａ断面図である。なお、上記実施形態と同一の構成については同一の符号を付し、説明を省略する。
【００６２】
１階部分における壁パネル１０の基礎１６への固定構造は、第１実施形態と同様である。２階部分に用いられている壁パネル１０の構造も１階部分の壁パネル１０と同様である。
【００６３】
１階部分の壁パネル１０と２階部分の壁パネル１０との間には、床根太２７、端根太２９及び床下地材２０が配置されている。端根太２９は溝形鋼により構成され、溝の両側壁が上面部２９ａ及び下面部２９ｂを形成するとともに、溝の底面部２９ｃを屋外側に向けるようにして１階の壁パネル１０の上枠ランナ１４上に配置されている。床根太２７はリップ溝形鋼により構成され、溝の両側壁が上面部２７ａ及び下面部２７ｂを形成するようにして、その端部が端根太２９の溝内に配置されている。ホールダウンアンカーボルト１７が配設されている位置の真上における床根太２７及び端根太２９の上下面部２７ａ，２７ｂ，２９ａ，２９ｂ並びに床下地材２０には、ホールダウン金物２２の底孔２２ｃと同径の孔２７ｃ，２７ｄ，２９ｃ，２９ｄ，２０ａが形成されている。これらの孔２７ｃ，２７ｄ，２９ｃ，２９ｄ，２０ａは、ホールダウンアンカーボルト１７が配設されている位置の真上にあるため、これらもモジュールグリッドＭＧの交点上に形成されていることとなる。
【００６４】
２階部分の床下地材２０上には、略Ｕ字状のホールダウン金物２２が配置されている。このホールダウン金物２２は、床根太２７及び端根太２９の上面部２７ａ，２９ａ並びに床下地材２０の孔２７ｃ，２９ｃ，２０ａに底孔２２ｃを重ね合わせた状態で配置されている。また、このホールダウン金物２２には上方からボルト２８が挿通されている。そして、このボルト２８は床下地材２０、床根太２７及び端根太２９の上下面部２７ａ，２７ｂ，２９ａ，２９ｂに形成された孔２０ａ，２７ｃ，２７ｄ，２９ｃ，２９ｄ，を貫通し、端根太２９の下面部２９ｂに形成された孔２９ｄから先端部が突出した状態とされている。
【００６５】
床根太２７及び端根太２９の下部にはホールダウン金物２２が配置されており、端根太２９の下面部２９ｂから突出したボルト２８の先端部がホールダウン金物２２の底孔２２ｃに挿通された状態とされている。この状態において、ボルト２８の先端部からナット２４が螺合されることにより、床下地材２０上及び端根太２９の下面部２９ｂにＵ字状のホールダウン金物２２がそれぞれ固定されている。
【００６６】
端根太２９の下面部２９ｂに固定されているホールダウン金物２２には、１階部分の壁パネル１０のスタッド１３がビス２３にて固定されている。また、２階部分の床下地材２０上に固定されているホールダウン金物２２には、２階部分の壁パネル１０のスタッド１３がビス２３にて固定されている。この結果、１階の壁パネル１０と２階の壁パネル１０とがホールダウン金物２２及びボルト２８を介して連結されたこととなる。
【００６７】
本実施形態においては、床根太２７、端根太２９及び床下地材２０に形成された孔２７ｃ，２７ｄ，２９ｃ，２９ｄ，２０ａは、モジュールスタッドＭＧの交点に設けられている。そして、このモジュールスタッドＭＧの交点上において、１階部分と２階部分の壁パネル１０が連結されている。１階部分及び２階部分の壁パネル１０の連結位置を設計及び施工の際の基準線をなすモジュールスタッドＭＧの交点上とすることにより、設計及び施工の際に連結位置を決定することが容易となる。
【００６８】
［他の実施形態］
なお、本発明は上記実施の形態の記載内容に限定されず、例えば次のように実施しても良い。
【００６９】
上記実施の形態では、２枚の壁パネル及び３枚の壁パネルを連結する場合について説明した。しかし、連結する壁パネルは２枚又は３枚に限られず、４枚の壁パネルを十字状に連結する場合にも本発明の構造を適用することが可能である。
【００７０】
上記第５及び第６実施形態では、複数のホールダウン金物が組み合わせて用いられた。しかし、これらを１つの部材として形成してもよいことは勿論である。
【図面の簡単な説明】
【００７１】
【図１】第１実施形態で使用する壁パネルの斜視図である。
【図２】（ａ）は第１実施形態における壁パネルの連結部分をホールダウン金物を用いて基礎に固定する態様を示す断面図、（ｂ）は（ａ）におけるＡ−Ａ断面図、（ｃ）は（ａ）におけるＢ−Ｂ断面図である。
【図３】第１実施形態で用いられるホールダウン金物の斜視図である。
【図４】Ｔ字部における壁パネル連結部分をホールダウン金物を用いて基礎に固定する態様を示す平面図である。
【図５】出隅部における壁パネル連結部分をホールダウン金物を用いて基礎に固定する態様を示す平面図である。
【図６】（ａ）は他のホールダウン金物の斜視図であり、（ｂ）は（ａ）に示すホールダウン金物を２つ組み合わせた状態の斜視図である。
【図７】他の実施形態におけるＴ字部における壁パネル連結部分をホールダウン金物を用いて基礎に固定する態様を示す平面図である。
【図８】他の実施形態における出隅部における壁パネル連結部分をホールダウン金物を用いて基礎に固定する態様を示す平面図である。
【図９】（ａ）は上下階の壁パネルをホールダウン金物を介して連結する態様を示す断面図でであり、（ｂ）は（ａ）におけるＡ−Ａ断面図である。
【図１０】従来における出隅部における壁パネル連結部分をホールダウン金物を介して基礎に固定する態様を示す平面図である。
【図１１】従来におけるＴ字部における壁パネル連結部分をホールダウン金物を介して基礎に固定する態様を示す平面図である。
【符号の説明】
【００７２】
１０…壁パネル、１１…枠体、１２…構造用合板、１３…スタッド、１４…上枠ランナ、１５…下枠ランナ、１６…基礎、１７…ホールダウンアンカーボルト、１８…基礎パッキン、１９…木土台、２０…床下地材、２１…床下空間、２２…ホールダウン金物、２３…ビス、２４…ナット、２５…石膏ボード。
【図１】
2007332551.tif 000003
【図２】
2007332551.tif 000004
【図３】
2007332551.tif 000005
【図４】
2007332551.tif 000006
【図５】
2007332551.tif 000007
【図６】
2007332551.tif 000008
【図７】
2007332551.tif 000009
【図８】
2007332551.tif 000010
【図９】
2007332551.tif 000011
【図１０】
2007332551.tif 000012
【図１１】
2007332551.tif 000013